(57)【要約】【課題】排気格子の簡単な取り付け／取り外しを可能にし、かつ／または簡単な方式で取り付け／取り外しできる給気格子を有する電気暖房装置、特に蓄熱暖房装置を設ける。【解決手段】本発明は、１．ハウジング（５）と、排気口と、排気格子と、下周縁部（１５ａ）を有する前壁（１５）とを備える電気装置、特に蓄熱暖房装置であって、少なくとも１つの差込ホルダ（５０）が下周縁部（１５ａ）の上に押し出され、排気格子（３）がロックピン（５５）を利用して回転ロックにより差込ホルダ（５０）に固定されている、電気装置、特に蓄熱暖房装置である。【選択図】図１
2007093191.tif 000002
【特許請求の範囲】
【請求項１】
ハウジング（５）と、排気口と、排気格子と、下周縁部（１５ａ）を有する前壁（１５）とを備える電気装置、特に蓄熱暖房装置であって、少なくとも１つの差込ホルダ（５０）が下周縁部（１５ａ）の上に押し出され、排気格子（３）がロックピン（５５）を利用して回転ロックにより差込ホルダ（５０）に固定されている、電気装置、特に蓄熱暖房装置。
【請求項２】
差込ホルダがその中に配設された２つの尖端部（５４）をもつ穴（５９）を備えた舌状体（５２）を有し、ロックピン（５５）が開口（５９）と両方の尖端部（５４）を利用して回転により前記舌状体に連結される４分の１回転ロックである、請求項１に記載の電気装置。
【請求項３】
ハウジング（５）と、給気口と、給気格子がその上側でその両端部に各々１つの長穴（３０）とその下側でその両端部に各々１つの凹所（８０）とを有する給気格子（４）と、両方の長穴（３０）がそれぞれネジ（７０）の中に掛けられ、かつ両方の緊定ばね（６０）がそれぞれ凹所（８０）に係留されるように、中間壁の下部領域でその両側に各々１つのネジ（７０）と緊定ばね（６０）が配設される前部中間壁（１１）とを有する、電気装置、特に蓄熱暖房装置。
【請求項４】
各々１つの凹形グリップ（２０）が給気格子（４）の両側に配設された、請求項３に記載の電気装置。
【請求項５】
ハウジング（５）と、排気口と、排気格子と、下周縁部（１５ａ）を有する前壁（１５）とを備え、少なくとも１つの差込ホルダ（５０）が下周縁部（１５ａ）の上に押し出され、排気格子（３）がロックピン（５５）を利用して回転ロックにより差込ホルダ（５０）に固定された、請求項３または４に記載の電気装置、特に蓄熱暖房装置。
【請求項６】
差込ホルダが、その中に配設される２つの尖端部（５４）をもつ穴（５９）を備えた舌状体（５２）を有し、ロックピン（５５）が開口（５９）と両方の尖端部（５４）を利用して回転により前記舌状体に連結されている４分の１回転ロックである、請求項５に記載の電気装置。
【発明の詳細な説明】
【技術分野】
【０００１】
本発明は、電気装置、特に蓄熱暖房装置に関する。
【背景技術】
【０００２】
この種の蓄熱暖房装置は、蓄積される熱エネルギーを収容でき、一方で表面を介して空間へ、または他方で蓄熱コアを通してファンを利用して輸送される空気を引き渡すことができる蓄熱石からなる蓄熱コアを有する。
【０００３】
独国実用新案第２０１１７０５３号は、支持床面上に配設される蓄熱石からなる蓄熱コアを有する、この種の蓄熱暖房装置を示す。支持床面の下側にファンが配設されている。この場合、空気は、典型的には蓄熱暖房装置のハウジングの下部領域に配設される空気入口を介して吸入され、空気入口上に配設される空気出口を介して再び排出される。
【０００４】
しかしながらこの種の蓄熱暖房装置は、排気格子の取り付け／取り外しに費用がかかる。空気入口の手前には通常給気格子が配設されている。この格子は典型的に回転ロックされている。
【発明の開示】
【発明が解決しようとする課題】
【０００５】
本発明の課題は、排気格子の簡単な取り付け／取り外しを可能にし、かつ／または簡単な方式で取り付け／取り外しできる給気格子を有する電気暖房装置、特に蓄熱暖房装置を設けることである。
【課題を解決するための手段】
【０００６】
この課題は、請求項１および請求項３に記載の電気装置、特に蓄熱暖房装置によって解決される。
【０００７】
本発明は、暖房装置の前壁に回転ロックによって固定される排気格子を設けるという発想に基づく。そのために前壁の下周縁部に少なくとも１つの差込ホルダが挿入されており、回転ロックを利用して排気格子を差込ホルダに固定することができる。
【０００８】
本発明は、さらにネジなしの連結によって蓄熱暖房装置と連結することができ、その結果、取り付け／取り外しを工具なしに実行できる給気格子を備える、蓄熱暖房装置を設けるという発想に基づく。
【０００９】
本発明のその他の実施態様は、従属請求項の目的である。
【発明を実施するための最良の形態】
【００１０】
以下、本発明の実施形態は、図面を参照してより詳しく説明される。
【００１１】
図１は、第１の実施形態による蓄熱暖房装置１の下部の概略図を示す。暖房装置は、前壁１５、給気格子４および排気格子３を有する。
【００１２】
図２は、図１の蓄熱暖房装置の下側領域の詳細図を示す。この図示では、排気格子３が省かれている。前壁１５は、差込ホルダ５０が挿入された下周縁部１５ａを有する。好ましくは、２つの差込ホルダ５０が下周縁部１５ａに挿入される。両方の差込ホルダ５０の間の間隔は、好ましくは各差込ホルダ５０と前壁の左および右の端部との間の間隔に相当するものである。すなわち両方の差込ホルダ５０は、それぞれ前壁１５の端部から前壁１５の幅の３分の１の間隔で離間している。
【００１３】
排気格子３を取り付けるために、差込ホルダ５０が対応する位置で下周縁部１５に差し込まれており、排気格子３は給気格子４の上部の対応する位置へ移動され、ロックピン５５は穴を通して排気格子３の中に差し込まれ、対応して固定リングによって脱落から保護されている。格子は、ここでロックピン５５を利用して差込ホルダ５０の中に４分の１回転によって取り付けることができる。
【００１４】
その結果、排気格子の簡単かつ迅速な取り付けが実現される。ロックピンはクロス−、スリット−およびコンビ−Ｔｏｒｘとして挿入することができる。
【００１５】
図３は、図１および図２に記載の蓄熱暖房装置の下部の断面図を示す。この図中、排熱格子３は取り付け状態で示している。特に排熱格子は、ロックピン５５と差込ホルダとによって対応して取り付けられている。
【００１６】
図４ａから図４ｃはそれぞれ差込ホルダの概略平面図を示す。差込ホルダは、ここで第１の側面５１ａと第２の側面５１ｂとをもつ背壁５１を有し、第１および第２の側面５１ａ、５１ｂの間の背壁の中に凹所が設けられている。第１および第２の側面５１ａ、５１ｂは、それぞれ前方へ曲げられている。差込ホルダは、さらに本質的に２つの尖端部５４をもつ円形の開口を有する第１の舌状体５２を有する。この円形の開口は、ロックピン５５を収容することに利用される。第１の舌状体５２は中央部分と連結されており、この部分はさらに曲げられた側面５１ａ、５１ｂと連結されている。
【００１７】
差込ホルダは、背壁５１が前方を向くように下周縁部１５ａに挿入される。すなわち舌状体５２は後方を向いている。舌状体がばね付勢式に背壁５１と連結されていることによって、前記ロックピンが舌状体の穴の中に挿入され、回転によって両方の尖端部５４の中に係合する場合、ロックピン５５が一定の予応力を生じ、その結果、排気格子が確実にロックピン５５と差込ホルダ５０とによって保持される。
【００１８】
図５は、第２の実施形態による蓄熱暖房装置１の下部の概略図を示す。蓄熱暖房装置の下側領域で、給気格子４が給気開口の手前に配設されている。
【００１９】
図６は、蓄熱暖房装置１の下部の詳細図を示す。蓄熱暖房装置の中間壁１１の中に、ネジ７０が取り付けられている。ネジ７０の下側に緊定ばね６０が配設されている。給熱格子４の上周縁部は、ネジ７０のネジ頭の中に掛けられる長穴３０を有し、その結果、給気格子４の下部、特に凹所８０が緊定ばね６０で固定される。緊定ばね６０は、ここで給気格子４が応力で係留できるように形成されている。図６に蓄熱暖房装置の右側のみを示しているが、蓄熱暖房装置は同様に左側にも対応するネジ７と、対応する緊定ばね６０とを有する。給気格子４の両端部に、それぞれ取り外しに使用できる凹形グリップ２０が配設されている。その結果、給気格子のネジなしの取り付け／取り外しを可能にすることができる。
【００２０】
図７は、蓄熱暖房装置の下部の概略断面を示す。蓄熱暖房装置の中間壁１１の中に、ネジ７０ならびに緊定ばね６０が取り付けられている。給気格子４はその上側に、ネジ７０のネジ頭の中に掛けられる長穴３０を有する。給気格子の下側に空所もしくは凹所８０があり、その中に格子４が取り付けられる場合に緊定ばね６０が係留する。
【００２１】
図８ａは給気格子４の平面図ならびに断面図を示す。
【００２２】
図８ｂは給気格子４の断面図を示す。格子４の両端に各々１つの凹形グリップ２０を設けている。格子の上側に各々１つの長穴３０を両端に設けている。給気格子４の下側に空所８０がそれぞれ両端に配設されている。
【００２３】
図８ｃは、給気格子４の上側の断面図を示す。
【００２４】
図８ｄは、給気格子４の凹形グリップ２０の平面図を示す。
【００２５】
排気格子は上部に差込ホルダおよびロックピンを利用して固定されているが、給気格子は同様にこの種の差込ホルダとロックピンとによって固定することができる。
【００２６】
上部で給気格子が、ネジもしくは緊定ばねで蓄熱暖房装置に固定できる長穴および凹所を有しているが、排気格子は同様に、これがネジおよび緊定ばねによって蓄熱暖房装置のハウジングに排気格子を固定するために共働するように、長穴と凹所を備えることができる。排気格子の固定方式は給気格子用としても使用することができ、その逆にもできる。
【００２７】
さらに排気格子は同様に凹形グリップを有することができる。
【００２８】
本発明には以下の内容が含まれる。
【００２９】
１．ハウジング（５）と、排気口と、排気格子と、下周縁部（１５ａ）を有する前壁（１５）とを備える電気装置、特に蓄熱暖房装置であって、少なくとも１つの差込ホルダ（５０）が下周縁部（１５ａ）の上に押し出され、排気格子（３）がロックピン（５５）を利用して回転ロックにより差込ホルダ（５０）に固定されている、電気装置、特に蓄熱暖房装置。
【００３０】
２．差込ホルダがその中に配設された２つの尖端部（５４）をもつ穴（５９）を備えた舌状体（５２）を有し、ロックピン（５５）が開口（５９）と両方の尖端部（５４）を利用して回転により前記舌状体に連結される４分の１回転ロックである、１．に記載の電気装置。
【００３１】
３．ハウジング（５）と、給気口と、給気格子がその上側でその両端部に各々１つの長穴（３０）とその下側でその両端部に各々１つの凹所（８０）とを有する給気格子（４）と、両方の長穴（３０）がそれぞれネジ（７０）の中に掛けられ、かつ両方の緊定ばね（６０）がそれぞれ凹所（８０）に係留されるように、中間壁の下部領域でその両側に各々１つのネジ（７０）と緊定ばね（６０）が配設される前部中間壁（１１）とを有する、電気装置、特に蓄熱暖房装置。
【００３２】
４．各々１つの凹形グリップ（２０）が給気格子（４）の両側に配設された、３．に記載の電気装置。
【００３３】
５．ハウジング（５）と、排気口と、排気格子と、下周縁部（１５ａ）を有する前壁（１５）とを備え、少なくとも１つの差込ホルダ（５０）が下周縁部（１５ａ）の上に押し出され、排気格子（３）がロックピン（５５）を利用して回転ロックにより差込ホルダ（５０）に固定された、３．または４．に記載の電気装置、特に蓄熱暖房装置。
【００３４】
６．差込ホルダが、その中に配設される２つの尖端部（５４）をもつ穴（５９）を備えた舌状体（５２）を有し、ロックピン（５５）が開口（５９）と両方の尖端部（５４）を利用して回転により前記舌状体に連結されている４分の１回転ロックである、５．に記載の電気装置。
【図面の簡単な説明】
【００３５】
【図１】第１の実施形態による蓄熱暖房装置の下側部分の概略図である。
【図２】図１の第１の実施形態による蓄熱暖房装置の下側領域の詳細図である。
【図３】図１に記載の蓄熱暖房装置の下側部分概略断面図である。
【図４】（ａ）は差込ホルダの概略図、（ｂ）は差込ホルダの概略図、（ｃ）は差込ホルダの概略図である。
【図５】第２の実施形態による蓄熱暖房装置の下側部分の概略図である。
【図６】図５の給気格子の概略図の詳細である。
【図７】蓄熱暖房装置の下側の概略断面図である。
【図８】（ａ）は図５の給気格子の詳細図、（ｂ）は図５の給気格子の詳細図、（ｃ）は図５の給気格子の詳細図、（ｄ）は図５の給気格子の詳細図である。
【図１】
2007093191.tif 000003
【図２】
2007093191.tif 000004
【図３】
2007093191.tif 000005
【図４】
2007093191.tif 000006
【図５】
2007093191.tif 000007
【図６】
2007093191.tif 000008
【図７】
2007093191.tif 000009
【図８】
2007093191.tif 000010